(57)【要約】【課題】洗濯物の投入、取出しの操作性を向上させ、洗濯物の取出し忘れを防止すること。【解決手段】蓋２６の後部を延伸して形設したワイヤ取付け部４３と吊り下げ枠体３３の後面側の吊り下げ構成部材３３ｃとを滑車４２を介してワイヤ４４で連結し、蓋２６を開くとワイヤ４４が吊り下げ枠体３３を持ち上げることにより水槽ユニット１が回転軸芯３８を回転中心に前側に傾斜し、蓋２６を閉じるとワイヤ４４が緩むことにより水槽ユニット１が直立する構成とすることにより、洗濯兼脱水槽１０への洗濯物の投入、取り出しの操作性を向上させ、特に、洗濯兼脱水槽１０内底部の手前側にある洗濯物、特に、ハンカチ、靴下などの小物類の取り出し忘れを防止することができる。【選択図】図５
2017055947.tif 000002
【特許請求の範囲】
【請求項１】
筺体と、中央底部にパルセータを回転自在に配した洗濯兼脱水槽と、前記洗濯兼脱水槽を回転自在に内包する水槽と、前記パルセータおよび前記洗濯兼脱水槽を回転駆動するモータと、前記筺体の左右側面上部に設けられ略中央部に軸受部を有する軸受部材と、４つの吊り下げ構成部材で略四角形状に構成され、回転軸芯を中心に前記軸受部に前後に回転自在に軸支された吊り下げ枠体と、前記吊り下げ枠体の角隅部に設けられ球面部を有する受け部材と、前記球面部より吊り棒にて弾性支持された前記洗濯兼脱水槽、水槽、モータ等から成る振動系の水槽ユニットと、前記筺体の上部に配設された上部枠体と、前記上部枠体の略中央部に配設され前記上部枠体に形成された洗濯物出し入れ用の投入口を開閉自在に覆う蓋とを備え、前記蓋の後部を延伸して形設したワイヤ取付け部と前記吊り下げ枠体の後面側の吊り下げ構成部材とを滑車を介してワイヤで連結し、前記蓋を開くと前記ワイヤが前記吊り下げ枠体を持ち上げることにより前記水槽ユニットが前記回転軸芯を回転中心に前側に傾斜し、前記蓋を閉じると前記ワイヤが緩むことにより前記水槽ユニットが直立する洗濯機。
【請求項２】
水槽ユニットは、その重心が回転軸芯の垂線上に位置する請求項１に記載の洗濯機。
【請求項３】
吊り下げ枠体は、後面側の吊り下げ構成部材に筺体の上面に当接する受け部を形成した請求項１または２に記載の洗濯機。
【請求項４】
滑車は、所定負荷より大きな負荷が印加すると空回りする過負荷解除手段を有する請求項１〜３のいずれか１項に記載の洗濯機。
【発明の詳細な説明】
【技術分野】
【０００１】
本発明は、洗い、すすぎ、脱水の工程を自動制御して行なう洗濯機に関するものである。
【背景技術】
【０００２】
従来、この種の洗濯機は、本体内に垂下防振支持された水槽に、洗濯兼脱水槽を回転自在に内包し、その内底部に洗濯物攪拌用の攪拌翼を回転自在に設けて、本体の上方から洗濯物を洗濯兼脱水槽に出し入れする構成が提案されている（例えば、特許文献１参照）。
【０００３】
図７は、特許文献１に記載された従来の洗濯機の前後方向の縦断面図である。
【０００４】
図７において、本体６５内に、水槽６１がサスペンション６４にて角隅より垂下防振支持され、水槽６１には洗濯兼脱水槽６３が回転自在に内包され、洗濯兼脱水槽６３の内底部には攪拌翼６２が回転自在に配設されている。また、本体６５上部には、開閉自在な蓋体８５が配設されている。
【０００５】
循環水路カバー６６は、洗濯兼脱水槽６３の内面側壁部に複数個取着し、洗濯兼脱水槽６３との間に独立した複数の循環水路６７ａ、６７ｂを形成している。
【０００６】
また、攪拌翼６２の裏面に羽根６８を一体に設け、羽根６８の外周に形成したポンプ室６９を循環水路６７ａ、６７ｂに連通している。そして、循環水路６７ａ、６７ｂの上部に洗濯兼脱水槽６３の内部に向けて開口した開口部７０を形成し、循環水路６７ｂの上部の開口部７０には散水ノズル７１を設け、洗濯物８３に対して上方より洗濯液を散水している。また、循環水路６７ａの上部の開口部７０には、袋状の糸屑フィルタ７２を設け、発生する糸屑類を捕集している。
【０００７】
モータ７３は、Ｖベルト７４および減速機構７５を介して洗濯兼脱水槽６３、あるいは、攪拌翼６２を回転駆動する。水位センサ７６は、水受槽６１の下部に接続されて洗濯兼脱水槽６３内の水位を検知し、その出力を、制御手段（図示せず）を有する制御装置７７に入力するようになっている。
【０００８】
また、制御手段は、操作表示部７９により使用者の入力によって選択された、洗い、すすぎ、脱水の各工程に応じて、モータ７３、給水弁８２、排水弁８４などを逐次制御する。
【０００９】
以上の構成にて、洗濯をする場合は、使用者は、蓋体８５を開けて、洗濯兼脱水槽６３内に洗濯物８３と洗剤を入れ、操作表示部７９にて運転コースを選択、入力し、蓋体８５を閉めて、スタートする。スタートすると、給水弁８２が動作して水が入り、所定の水位になると洗いが始まり、順次、すすぎ、脱水工程が進行していく。そして、運転が終了すると、使用者は、再び蓋体８５を開けて、脱水された洗濯物８３を取り出す。
【先行技術文献】
【特許文献】
【００１０】
【特許文献１】特開平７−３１７８５号公報
【発明の概要】
【発明が解決しようとする課題】
【００１１】
しかしながら、前記従来の構成では、脱水工程が終了して洗濯物を洗濯兼脱水槽から取り出す際に、使用者が洗濯機前面に立つと、洗濯兼脱水槽内底部の手前側にある洗濯物、特に、ハンカチ、靴下などの小物類が目に入らず、取り出し忘れてしまうという課題があった。
【００１２】
本発明は、前記従来の課題を解決するもので、振動系の水槽ユニットを傾斜可能に構成することで、洗濯兼脱水槽への洗濯物の投入、取り出しの操作性を向上させ、洗濯物の取り出し忘れを防止することができる洗濯機を提供することを目的とする。
【課題を解決するための手段】
【００１３】
前記従来の課題を解決するために、本発明の洗濯機は，筺体と、中央底部にパルセータを回転自在に配した洗濯兼脱水槽と、前記洗濯兼脱水槽を回転自在に内包する水槽と、前記パルセータおよび前記洗濯兼脱水槽を回転駆動するモータと、前記筺体の左右側面上部に設けられ略中央部に軸受部を有する軸受部材と、４つの吊り下げ構成部材で略四角形状に構成され、回転軸芯を中心に前記軸受部に前後に回転自在に軸支された吊り下げ枠体と、前記吊り下げ枠体の角隅部に設けられ球面部を有する受け部材と、前記球面部より吊り棒にて弾性支持された前記洗濯兼脱水槽、水槽、モータ等から成る振動系の水槽ユニットと、前記筺体の上部に配設された上部枠体と、前記上部枠体の略中央部に配設され前記上部枠体に形成された洗濯物出し入れ用の投入口を開閉自在に覆う蓋とを備え、前記蓋の後部を延伸して形設したワイヤ取付け部と前記吊り下げ枠体の後面側の吊り下げ構成部材とを滑車を介してワイヤで連結し、前記蓋を開くと前記ワイヤが前記吊り下げ枠体を持ち上げることにより前記水槽ユニットが前記回転軸芯を回転中心に前側に傾斜し、前記蓋を閉じると前記ワイヤが緩むことにより前記水槽ユニットが直立する構成としたものである。
【００１４】
これにより、洗濯兼脱水槽への洗濯物の投入、取り出しの操作性を向上させ、特に、洗濯兼脱水槽内底部の手前側にある洗濯物、特に、ハンカチ、靴下などの小物類の取り出し忘れを防止することができる。
【発明の効果】
【００１５】
振動系の水槽ユニットを傾斜可能に構成することで、洗濯兼脱水槽への洗濯物の投入、取り出しの操作性を向上させ、洗濯物の取り出し忘れを防止することができる。
【図面の簡単な説明】
【００１６】
【図１】本発明の実施の形態における洗濯機の前後方向の縦断面図
【図２】同洗濯機の吊り棒の水槽支持部近傍の要部断面図
【図３】同洗濯機の吊り下げ枠体周りの分解斜視図
【図４】同洗濯機の吊り下げ枠体周りの要部断面図
【図５】同洗濯機の水槽ユニットが傾斜した場合の縦断面図
【図６】同洗濯機の水槽ユニットが傾斜した状態で使用者が洗濯兼脱水槽内を見た場合の縦断面図
【図７】従来の洗濯機の前後方向の縦断面図
【発明を実施するための形態】
【００１７】
第１の発明は、筺体と、中央底部にパルセータを回転自在に配した洗濯兼脱水槽と、前記洗濯兼脱水槽を回転自在に内包する水槽と、前記パルセータおよび前記洗濯兼脱水槽を回転駆動するモータと、前記筺体の左右側面上部に設けられ略中央部に軸受部を有する軸受部材と、４つの吊り下げ構成部材で略四角形状に構成され、回転軸芯を中心に前記軸受部に前後に回転自在に軸支された吊り下げ枠体と、前記吊り下げ枠体の角隅部に設けられ球面部を有する受け部材と、前記球面部より吊り棒にて弾性支持された前記洗濯兼脱水槽、水槽、モータ等から成る振動系の水槽ユニットと、前記筺体の上部に配設された上部枠
体と、前記上部枠体の略中央部に配設され前記上部枠体に形成された洗濯物出し入れ用の投入口を開閉自在に覆う蓋とを備え、前記蓋の後部を延伸して形設したワイヤ取付け部と前記吊り下げ枠体の後面側の吊り下げ構成部材とを滑車を介してワイヤで連結し、前記蓋を開くと前記ワイヤが前記吊り下げ枠体を持ち上げることにより前記水槽ユニットが前記回転軸芯を回転中心に前側に傾斜し、前記蓋を閉じると前記ワイヤが緩むことにより前記水槽ユニットが直立する構成とすることにより、洗濯兼脱水槽への洗濯物の投入、取り出しの操作性を向上させ、特に、洗濯兼脱水槽内底部の手前側にある洗濯物、特に、ハンカチ、靴下などの小物類の取り出し忘れを防止することができる。
【００１８】
第２の発明は、特に、第１の発明の水槽ユニットは、その重心が回転軸芯の垂線上に位置する構成とすることにより、蓋の開け閉めで水槽ユニットが傾斜状態から直立状態になるのが容易にできる。
【００１９】
第３の発明は、特に、第１または第２の発明の吊り下げ枠体は、後面側の吊り下げ構成部材に筺体の上面に当接する受け部を形成した構成とすることにより、水槽ユニットが後側に傾斜して不安定になるのを防止できる。
【００２０】
第４の発明は、特に、第１〜３のいずれかの１つの発明の滑車は、所定負荷より大きな負荷が印加すると空回りする過負荷解除手段を有する構成とすることにより、水槽ユニットが前方に傾斜する場合、万一、水槽内に水や洗濯兼脱水槽１０内重い洗濯物があっても、水槽ユニットを持ち上げないため、蓋やワイヤ等の破損を防止することができる。
【００２１】
以下、本発明の実施の形態について、図面を参照しながら説明する。なお、この実施の形態によって本発明が限定されるものではない。
【００２２】
（実施の形態１）
以下に、本発明の実施の形態の洗濯機について、図１から図６を用いて、説明する。
【００２３】
図１は、本発明の実施の形態における洗濯機の前後方向の縦断面図である。
【００２４】
図１において、筺体３内には角隅より吊り棒２にて垂下防振支持された水槽４が配設され、水槽４には洗濯兼脱水槽１０が回転自在に内包されている。
【００２５】
また、洗濯兼脱水槽１０の内底部には、裏面に下側羽根１２が一体に設けられたパルセータ１１が、回転自在に配設されており、上部には振動低減用の流体バランサ２４が設けられている。
【００２６】
また、洗濯兼脱水槽１０の側面には、複数の水抜き穴１０ａが設けられている。水抜き穴１０ａは、脱水時において、遠心力により洗濯物２３に含まれている水を水槽４へ移動させる。
【００２７】
また、水槽４の外底部にはモータ１３が設けられ、モータ１３は、減速機構１４および回転軸１５を介して、パルセータ１１または洗濯兼脱水槽１０を回転駆動する。
【００２８】
そして、吊り棒２で筺体３内に吊り下げられた水槽４、洗濯兼脱水槽１０、モータ１３などで振動系の水槽ユニット１を構成している。
【００２９】
リント水路１６は、洗濯兼脱水槽１０の内周側壁部に、パルセータ１１の下側羽根１２の外周のポンプ室１７から洗濯兼脱水槽１０の上部または中部に至るように設けられている。そして、リント水路１６の上部または中部には、糸屑捕集用のリントフィルタ１８が
着脱自在に設けられている。
【００３０】
排水部１９は、排水弁２０および排水ホース２１で構成され、水槽４内の洗濯水やすすぎ水を排水する。このとき、排水ホース２１は、筺体３と接続されている。そして、排水ホース２１は、水槽ユニット１の脱水時の振れ回りに対応するため、可撓性のある蛇腹構造のホースや伸縮ホースなどで形成されている。
【００３１】
筺体３の上部には、上部枠体２５が配設されており、上部枠体２５の略中央部には蓋軸４５を軸にして開閉する蓋２６が設けられている。蓋２６を開閉することにより、投入口３１を介して洗濯物を出し入れすることができる。
【００３２】
蓋開閉検知部３６は、蓋２６を閉じた状態における蓋２６近傍に配設されており、蓋２６の開閉動作を検知する。
【００３３】
また、上部枠体２５の後部には、水槽４内へ給水する給水弁２２が設けられており、給水弁２２は、水槽４に設けられた水位検知部３０で検知した水位に基づいて、所定量の水を給水する。
【００３４】
また、上部枠体２５の後部には、制御手段（図示せず）を有する制御部２７が設けられ、制御手段は、操作表示部（図示せず）の入力設定手段（図示せず）にて設定された運転コースに基づき、モータ１３、排水弁２０、給水弁２２などを制御して、洗い、すすぎ、脱水の各工程を制御する。
【００３５】
筺体３の上部左右両側には、軸受部材３２が設けられ、軸受部材３２には吊り下げ枠体３３を構成し、筺体３の上部の４辺に固着された４つの部材である、吊り下げ構成部材３３ａ、吊り下げ構成部材３３ｂ、吊り下げ構成部材３３ｃ、吊り下げ構成部材３３ｄの内、筺体３の左右に位置する吊り下げ構成部材３３ｂ、吊り下げ構成部材３３ｄが回転軸芯３８により軸支されている。
【００３６】
そして、４つの部材で略四角形状に構成される吊り下げ枠体３３の四隅上部３ａに、球面部３４ａ（図２参照）を有する受け部材３４が設けられ、受け部材３４に前述の水槽ユニット１の下部４ａを吊り上げて防振支持する吊り棒２が垂下支持されている。なお、吊り下げ枠体３３の構成については、図３以降で詳述する。
【００３７】
また、蓋２６後部を延伸してワイヤ取付け部４３を形設しており、ワイヤ取付け部４３にはワイヤ４４を連結しており、ワイヤ４４は上部枠体２５の後部内面側に設けられた過負荷解除手段（図示せず）を内装した滑車４２を介して、吊り下げ枠体３３と連結している。過負荷解除手段とは、所定負荷より大きな負荷が印加すると滑車４２が空回りして、それ以上の負荷が印加されないようにする仕組みである。
【００３８】
そして、蓋２６の開動作により水槽ユニット１が、筺体３内で回転軸芯３８を回転中心に前側が下がるように傾斜するが、その動作については図５、図６で詳述する。
【００３９】
なお、水槽ユニット１が傾斜や直立を繰り返しても、排水ホース２１に穴が開くなどの不具合が発生しないように、上述の如く、可撓性のある蛇腹構造のホースや伸縮ホースなどで形成されている。
【００４０】
図２は、本発明の実施の形態における洗濯機の吊り棒の水槽支持部近傍の要部断面図、図３は、同洗濯機の吊り下げ枠体周りの分解斜視図、図４は、同洗濯機の吊り下げ枠体周りの要部断面図である。
【００４１】
図２において、吊り棒２の下部には、水槽ユニット１の水槽４の下部４ａと球面接触する水槽支持部材７を設けている。つまり、水槽ユニット１は、上部は四隅上部３ａにて球面部３４ａに支持され、下部４ａにて球面接触にて支持されているので、水槽ユニット１は筺体３内で自由に振れ回ることを可能にしている。
【００４２】
そして、水槽支持部材７は、内部に設けられた振幅減衰用のバネ８とダンパ９を介して、吊り棒２と接続されており、この構成により、水槽ユニット１の、特に脱水運転中の振動を制御し、抑制している。
【００４３】
図３、図４において、筺体３の上部左右両側には、軸受３５ａを内装する軸受部３２ａを有する断面が略コ字状の軸受部材３２をビス３７により取り付けている。軸受部材３２の上端部は筺体３の上部に載置され、下端部は筺体３の内壁に当接する構成とすることで、上方からの荷重をうける構成となっている。
【００４４】
また、前後左右の吊り下げ構成部材３３ａ、３３ｂ、３３ｃ、３３ｄを略四角形に連結して、一体となった吊り下げ枠体３３には、吊り棒２を支持する球面部３４ａを有する受け部材３４をビス３７にて四隅上部に取り付けている。
【００４５】
軸受部材３２の中央部には、軸受３５ａを挿入した軸受部３２ａが設けられ、内部側にはリンフ４０を介して、断面が略コ字状に折り曲げられた吊り下げ枠体３３の左右の吊り下げ構成部材３３ｂ、３３ｄが設けられ、吊り下げ構成部材３３ｂ、３３ｄに形成された構成部材軸受部３３ｅには軸受３５ｂが内装され、回転軸芯３８により上部左右両側に取り付けられた軸受部材３２に回転自在に軸支され、止め輪３９にて係止されている。
【００４６】
また、吊り下げ枠体３３の後部の吊り下げ構成部材３３ｃには、筺体３の上端部に当接する受け部３３ｆを形成し、水槽ユニット１が水平時に受ける負荷を筺体３全体で受け、軸受部材３２の軸受部３２ａへの負荷を軽減している。
【００４７】
この状態で、水槽ユニット１の吊り下げ時の重心Ｇと、吊り下げ枠体３３の回転軸芯３８は同一垂直線Ｌ上に設定している。
【００４８】
以上のように構成した洗濯機について，以下、その動作、作用を説明する。
【００４９】
図５は、本発明の実施の形態における洗濯機の水槽ユニットが傾斜した場合の縦断面図、図６は、同洗濯機の水槽ユニットが傾斜した状態で使用者が洗濯兼脱水槽内を見た場合の縦断面図である。
【００５０】
図５、図６において、使用者が、好みの運転コースを選択して洗濯を行なう場合、蓋２６を開くと、蓋軸４５を回転軸として蓋２６後部に延伸したワイヤ取付け部４３が下方へと回転する。それにより、ワイヤ取付け部４３に連結されたワイヤ４４が引かれ、過負荷解除手段（図示せず）を内装した滑車４２を介して、ワイヤ４４に連結した吊り下げ枠体３３の後部が軸受部材３２の回転軸芯３８を中心に上方へ引かれる。
【００５１】
さらに、吊り下げ枠体３３に懸架された水槽ユニット１が連動して後方が引上げられ、水槽ユニット１が回転軸芯３８を中心に前方に傾斜する。これにより、使用者が洗濯兼脱水槽１０の中を覗き込まなくても、底部全体を見ることができるので、洗濯物２３の投入が容易になる。
【００５２】
水槽ユニット１が前方に傾斜する場合、滑車４２には過負荷解除手段が内装されている
ため、万一、水槽４内に水や重い洗濯物２３がある場合には、蓋２６開いても滑車４２が空回りし、水槽ユニット１を持ち上げないため、蓋２６やワイヤ４４等の回動機構部への過負荷を防止する構成としている。
【００５３】
洗濯兼脱水槽１０内に、洗濯物２３を投入した後、蓋２６を閉めると、蓋軸４５を回転軸として蓋２６の後部に延伸したワイヤ取付け部４３が上方へと回転し、滑車４２を介してワイヤ４４は緩む。それによって、ワイヤ４４に連結した吊り下げ枠体３３は、軸受部材３２の回転軸芯３８を中心に回転し、水槽ユニット１は直立となる。この時、上述のように、水槽ユニット１の重心Ｇと吊り下げ枠体３３の回転軸芯３８を同一垂直線上に設けられているため、水槽ユニット１は自重により直立となる。
【００５４】
次に、洗濯機の電源を入れて、スタートボタン（図示せず）を押すと、制御部２７は、モータ１３によりパルセータ１１を小刻みに所定時間だけ正逆回転させて洗濯物２３の量を検知し、検知した洗濯物２３の量に応じて、操作表示部（図示せず）に必要な洗剤量を表示する。
【００５５】
使用者は、蓋２６を開き(この時、水槽ユニット１は傾斜する)、洗剤を所定の位置や、直接、洗濯兼脱水槽１０内に所定量投入して、蓋２６を再度閉じる(この時、水槽ユニット１は直立する)。これにより、蓋２６は、蓋ロック機構（図示せず）により開閉がロックされる。
【００５６】
その後、制御部２７は、給水弁２２から洗濯兼脱水槽１０内に、所定量の水を水位検知部３０で検知されるまで給水し、所定量の給水が終わると、モータ１３を駆動させて、洗い工程が始まる。そして、所定時間の洗い工程が終了すると、すすぎ工程、脱水工程へと進行していく。
【００５７】
ここで、運転中においては、水槽ユニット１は直立した状態で、蓋２６は蓋ロック(図示せず)により開かない状態である。この時、運転の途中で、使用者が操作表示部（図示せず）の一時停止ボタン（図示せず）を押して運転を停止させると、蓋ロックが解除され蓋２６が解放される。これにより、使用者が蓋２６を開くことが可能になる。
【００５８】
しかしながら、運転中なので、水槽ユニット１は重いため、蓋２６を使用者が開けても、滑車４２に内装された過負荷解除手段が作用し、過負荷を検知して滑車４２を空回りさせ過負荷が掛かるのを防止して、水槽ユニット１を傾斜させないように構成されている。
【００５９】
脱水工程が終わり、運転が終了すると、制御部２７は蓋ロック（図示せず）を解除して蓋２６を解放し、電源をオフにする。
【００６０】
次に、洗濯物２３を取り出すために、使用者が蓋２６を開くと、蓋軸４５を回転軸として蓋２６後部に延伸したワイヤ取付け部４３が下方へと回転する。
【００６１】
それにより、ワイヤ取付け部４３に連結されたワイヤ４４が引かれ、滑車４２を介して、ワイヤ４４に連結した吊り下げ枠体３３の後部が軸受部材３２の回転軸芯３８を中心に上方へ引かれる。さらに、吊り下げ枠体３３に懸架された水槽ユニット１が連動して後方が引上げられ、水槽ユニット１が前方に傾斜する。この時、図６に示すように、洗濯兼脱水槽１０の前上部から底部奥２９までの距離がＬ２となり、使用者に近づく。
【００６２】
これにより、使用者は、洗濯機の所定の位置に立つだけで、洗濯兼脱水槽１０の内部をすべて見ることができる。そして、洗濯物２３を洗濯兼脱水槽１０の上部から順番に取り出していくと、洗濯兼脱水槽１０の底部奥２９部分は勿論のこと、底部手前２８部分も、
洗濯兼脱水槽１０内を覗き込まなくても見ることができるので、ハンカチや靴下などの小物衣類を取り出し忘れることはない。
【００６３】
なお、本実施の形態においては、所定の位置とは、図６に示すように、使用者の目線が、洗濯機の筺体３の前面から後方に５ｃｍ程度離れた位置で、床面から上方に１５０から１５５ｃｍ程度の位置にある場合を想定している。
【００６４】
次に、洗濯物２３を取り出した後、使用者が蓋２６を閉じると、蓋軸４５を回転軸として蓋２６の後部のワイヤ取付け部４３が上方へと回転し、滑車４２を介してワイヤ４４は緩む。それによって、ワイヤ４４に連結した吊り下げ枠体３３は、軸受部材３２の回転軸芯３８を中心に回転し、水槽ユニット１は直立となる。
【００６５】
以上のように、本実施の形態においては、蓋２６の後部を延伸して形設したワイヤ取付け部４３と吊り下げ枠体３３の後面側の吊り下げ構成部材３３ｃとを滑車４２を介してワイヤ４４で連結し、蓋２６を開くとワイヤ４４が吊り下げ枠体３３を持ち上げることにより水槽ユニット１が回転軸芯３８を回転中心に前側に傾斜し、蓋２６を閉じるとワイヤ４４が緩むことにより水槽ユニット１が直立する構成とすることにより、洗濯兼脱水槽１０への洗濯物の投入、取り出しの操作性を向上させ、特に、洗濯兼脱水槽１０内底部の手前側にある洗濯物、特に、ハンカチ、靴下などの小物類の取り出し忘れを防止することができる。
【００６６】
また、水槽ユニット１は、その重心が回転軸芯３８の垂線上に位置する構成とすることにより、蓋２６の開け閉めで水槽ユニット１が傾斜状態から直立状態になるのが容易にできる。
【００６７】
また、吊り下げ枠体３３は、後面側の吊り下げ構成部材３３ｃに筺体３の上面に当接する受け部３３ｆを形成した構成とすることにより、水槽ユニット１が後側に傾斜して不安定になるのを防止できる。
【００６８】
また、滑車４２は、所定負荷より大きな負荷が印加すると空回りする過負荷解除手段を有する構成とすることにより、水槽ユニット１が前方に傾斜する場合、万一、水槽４内に水や洗濯兼脱水槽１０内に重い洗濯物があっても、水槽ユニット１を持ち上げないため、蓋やワイヤ等の破損を防止することができる。
【産業上の利用可能性】
【００６９】
以上のように、本発明にかかる洗濯機は、洗濯物の投入、取り出しの操作性を向上させ、洗濯物の取り出し忘れを防止することができるので、業務用を始めとする他の洗濯機の用途に適用できる。
【符号の説明】
【００７０】
１  水槽ユニット
２  吊り棒
３  筺体
４  水槽
１０  洗濯兼脱水槽
１１  パルセータ
１３  モータ
２３  洗濯物
２５  上部枠体
２６  蓋
２７  制御部
３１  投入口
３２  軸受部材
３２ａ  軸受部
３３  吊り下げ枠体
３３ａ  吊り下げ構成部材
３３ｂ  吊り下げ構成部材
３３ｃ  吊り下げ構成部材
３３ｄ  吊り下げ構成部材
３３ｆ  受け部
３４  受け部材
３４ａ  球面部
３８  回転軸芯
４２  滑車
４３  ワイヤ取付け部
４４  ワイヤ
【図１】
2017055947.tif 000003
【図２】
2017055947.tif 000004
【図３】
2017055947.tif 000005
【図４】
2017055947.tif 000006
【図５】
2017055947.tif 000007
【図６】
2017055947.tif 000008
【図７】
2017055947.tif 000009